(57)【特許請求の範囲】
【請求項１】
巻板と、端板とを備え、巻板は下板部と、下板部の一側端部に連続する一側板部と、下板部の他側端部に連続する他側板部と、他側板部に連続する上板部とを有し、端板は下板部の内面端部に貼付ける下板貼付け部と、一側板部の内面端部に貼付ける一側板貼付け部と、他側板部の内面端部に貼付ける他側板貼付け部と、一側板貼付け部から連続する一側中間板部と、他側板貼付け部から連続する他側中間板部と、下板貼付け部から連続する外面板部と、外面板部から連続し且つ上板部を受ける端上面板部と、端上面板部から連続する内面板部と、端上面板部から連続し且つ一側板部の上端に載置する一側受け板部と、一側板貼付け部から連続し且つ一側受け板部を支持する一側支持板部と、端上面板部から連続し且つ他側板部の上端に載置する他側受け板部と、他側板貼付け部から連続し且つ他側受け板部を支持する他側支持板部とを有し、内面板部は嵌合突起を有し、一側及び他側板貼付け部の両方又は下板貼付け部に嵌合突起が嵌合する嵌合凹部を有し、一側中間板部と他側中間板部とを内外に重合して重合中間板部を形成してあり、外面板部を重合中間板部の外側に配置すると共に、内面板部を重合中間板部の内側に配置し、外面板部と、重合中間板部と、内面板部とで巻板の端面を塞いであり、一側受け板部を一側板部の上端に載置すると共に一側支持板部で支持し、他側受け板部は他側支持板部で支持していることを特徴とする梱包箱。
【発明の詳細な説明】
【技術分野】
【０００１】
本発明は、梱包箱に関する。
【背景技術】
【０００２】
特許文献１には、巻板と、巻板の内面端部に端板を貼り付けて巻板の端面を端板で塞ぐと共に、端板には内面板部と外面板部と端上面板部を設けた梱包箱が開示されている。
【０００３】
【特許文献１】特開昭６３−２８１９４９号公報
【発明の開示】
【発明が解決しようとする課題】
【０００４】
一般に、梱包箱に被収納物を収納して積み上げると、梱包箱が重みにより変形して潰れ、被収納物に損傷を与えたり、荷崩れを起こすことがある。
特に、被収納物が金属材等の重い物である場合には、特許文献１に開示の梱包箱のように端板に内面板部と外面板部と端上面板部を設けただけでは、梱包箱を積み上げたときに小口（端部）の変形を受け易いと共に、取扱いが手荒になって梱包箱の角をぶつけたりして小口の変形が生じやすいという問題がある。
このため、加重や衝撃に強い梱包箱が望まれている。
【０００５】
そこで、本発明は、耐加重性や耐衝撃性に優れる梱包箱の提供を目的とする。
【課題を解決するための手段】
【０００６】
請求項１に記載の発明は、巻板と、端板とを備え、巻板は下板部と、下板部の一側端部に連続する一側板部と、下板部の他側端部に連続する他側板部と、他側板部に連続する上板部とを有し、端板は下板部の内面端部に貼付ける下板貼付け部と、一側板部の内面端部に貼付ける一側板貼付け部と、他側板部の内面端部に貼付ける他側板貼付け部と、一側板貼付け部から連続する一側中間板部と、他側板貼付け部から連続する他側中間板部と、下板貼付け部から連続する外面板部と、外面板部から連続し且つ上板部を受ける端上面板部と、端上面板部から連続する内面板部と、端上面板部から連続し且つ一側板部の上端に載置する一側受け板部と、一側板貼付け部から連続し且つ一側受け板部を支持する一側支持板部と、端上面板部から連続し且つ他側板部の上端に載置する他側受け板部と、他側板貼付け部から連続し且つ他側受け板部を支持する他側支持板部とを有し、内面板部は嵌合突起を有し、一側及び他側板貼付け部の両方又は下板貼付け部に嵌合突起が嵌合する嵌合凹部を有し、一側中間板部と他側中間板部とを内外に重合して重合中間板部を形成してあり、外面板部を重合中間板部の外側に配置すると共に、内面板部を重合中間板部の内側に配置し、外面板部と、重合中間板部と、内面板部とで巻板の端面を塞いであり、一側受け板部を一側板部の上端に載置すると共に一側支持板部で支持し、他側受け板部は他側支持板部で支持していることを特徴とする。
【０００７】
【０００８】
【０００９】
【００１０】
【００１１】
【発明の効果】
【００１２】
請求項１に記載の発明によれば、端板には外面板部と内面板部との間に重合中間板部を設けて、重合中間板部は２枚の中間板部を内外に重ねているので強度が高く、耐加重性や耐衝撃性に優れる。
内面板部は嵌合突起を、下板貼付け部又は、一側及び他側板貼付け部の嵌合凹部に嵌合して固定しているから、接着テープ等が必要なく内面板部の固定が容易にできる。
端板は巻板に貼り付けているので、巻板よりも強度の高い材質のものを用いることもできるから、同種の巻板を用いて梱包箱の端部の強度を更に高めることができる。
巻板や端板はそれぞれ展開したときには一枚板であるから、組立てが容易であると共に使用後にはスペースを取らないで済む。
【００１３】
【００１４】
【００１５】
一側受け板部を一側板部の上端に載置すると共に一側支持板部で支持し、他側受け板部は他側支持板部で支持するので、一側板部と他側板部の両角部にかかる加重を各々受け板部の面で受けることができ、両角部における強度を高めることができる。
【００１６】
【００１７】
【発明を実施するための最良の形態】
【００１８】
以下に、本発明の第１実施の形態を説明するが、まず、図１及び図２を参照して本発明の実施の形態の前提となる構成について説明する。図１は前提となる梱包箱の組立て工程を示す図であり、図２（ａ）は図１に示す梱包箱を組み立てた状態を示す斜視図であり、図２（ｂ）は（ａ）のＡ−Ａ位置で切断した断面図である。
前提となる実施の形態にかかる梱包箱１は、展開した巻板３と端板５、５とを組み立てて作られており、各端板５は巻板３の一端部と他端部とに貼り付けてある。巻板３と端板５、５は各々段ボール紙製である。巻板３は下板部７と、下板部７の一側に連続する一側板部９と、下板部７の他側に連続する他側板部１１と、他側板部１１に連続する上板部１３とを有しており、各板部は展開した板に折り曲げ線（図１中の一点鎖線）により区画されている。上板部１３にはフラップ１４が連続して設けてある。
端板５は下板部７の内面端部に貼付ける下板貼付け部２１と、一側板部９の内面端部に貼付ける一側板貼付け部２３と、他側板部１１の内面端部に貼付ける他側板貼付け部２５と、一側板貼付け部２３から連続する一側中間板部２７と、他側板部貼付け部２５から連続する他側中間板部２９と、下板貼付け部２１から連続する外面板部３１と、外面板部から連続する端上面板部３３と、端上面板部３３から連続する内面板部３５とを有している。
下板貼付け部２１には嵌合凹部１５が形成されている。嵌合凹部１５は貫通孔である。
内面板部３５の端部には嵌合突起３７が形成されており、嵌合突起３７は下板貼り付け部２１の嵌合凹部１５に嵌合するようになっている。
一側中間板部２７には係合凹部３９が形成してあり、他側中間板部２９には被係合凹部４１が形成してあり、係合凹部３９と被係合凹部４１とは互いに上下方向から係合するようになっている。一側中間板部２７と他側中間板２９とは内外に重合して係合凹部３９と被係合凹部４１とで係合により止めることにより、重合中間板部４３を形成している。
【００１９】
次に、前提となる梱包箱１の組立て、作用及び効果について説明する。
巻板３を展開した状態で巻板３に別体の端板５を貼付ける（図１（ａ）（ｂ））。端板５の貼付けは、下板部７の内面端部に下板貼付け部２１を、一側板部９の内面端部に一側板貼付け部２３を、他側板部１１の内面端部に他側板貼付け部２５を貼付けて行う。
巻板３に端板５を張り付けた後、巻板３を各折り目から折り曲げて、下板部７の一側に一側板部９を、他側に他側板部１１を立設し、他側板部１１の上端に上板部１３を形成する。そして、一側中間板部２７を一側板貼付け部２３から折り曲げ、他側中間板部２９を他側板貼付け部２５から折り曲げ、一側中間板部２７と他側中間板部２９を上下方向から係合部３９と被係合部４１とを係合して一側中間板部２７と他側中間板部とを内外に重合して重合中間板部４３を形成する（図１（ｃ））。
次に、下板貼付け部２１から外面板部３１を折り曲げ、外面板部３１から端上面板部３３を折り曲げ、端上面板部３３から内面板部３５を折り曲げて、重合中間板部４３の外側に外面板部を配置し、重合中間板部４３の内側に内面板部３５を配置して内面板部３５の端部にある嵌合突起３７を嵌合凹部１５に嵌合して固定し、外面板部３１と重合中間板部４３と、内面板部３５とで巻板３の端面を塞ぐ（図１（ｄ））。
端板５には外面板部３１と内面板部３５との間に重合中間板部５３を設けていると共に、重合中間板部４３は２枚の中間板部２７、２９を内外に重ねて構成しており、梱包箱１の端部が４重構造になっているので強度が高く、耐加重性や耐衝撃性に優れる。
端板５の内面板部３５は嵌合突起３７を下板貼付け部２１の嵌合凹部１５に嵌合して固定しているから、接着テープ等が必要なく内面板部３５の固定が容易にできる。
端板５は巻板３に貼り付けているので、巻板よりも強度の高い材質のものを用いることもできるから、同種の巻板を用いて梱包箱の端部の強度を高めることができる。
巻板３や端板５はそれぞれ展開したときには一枚板であるから、組立てが容易であると共に使用後にはスペースを取らないで済む。
一側中間板部２７と他側中間板部２９とは係合凹部３９と被係合凹４１との係合により重合しているので接着テープ等が必要なく組立てが容易である。
【００２０】
以下に、図３及び図４を参照して本発明の実施の形態を説明するが、以下に説明する実施の形態において、上述した前提となる梱包箱と同一の作用効果を奏する部分には同一の符号を付することにより、その部分の詳細な説明を省略し、以下の説明では上述した前提となる梱包箱と主に異なる点について説明する。
図３（ａ）は本発明の実施の形態にかかる端板の展開図であり、図３（ｂ）は本発明の実施の形態にかかる梱包箱を図２（ａ）のＢ−Ｂ位置で切断すると共に上板部を除いて示す斜視図であり、図４（ａ）は本発明の実施の形態にかかる梱包箱を図２（ａ）のＡ−Ａ位置で切断した断面図であり、図４（ｂ）は本発明の実施の形態にかかる梱包箱を図２（ａ）のＣ−Ｃ位置で切断した断面図である。
本発明の実施の形態では、端板５に端上面板部３３から連続した一側受け板部４７と他側受け板部４９を設けると共に、一側板貼付け部２３から連続した一側支持板部５１と、他側板貼付け部２５から連続した他側支持板部５３とを設けたことが第１実施の形態と異なる。一側受け板部４７と他側受け板部４９とは、内面板部３５に略１／４円の切込み線４８を入れて形成してある。
梱包箱１を組み立てた状態では、一側受け板部４７は一側板部９の上端に載置すると共に一側支持板部５１に載置しており、他側受け板部４９は他側支持板部５３に載置している。
本実施の形態では、一側板部９側上角部にかかる加重を一側受け板部４７の面で受けるので一側板部９にある角部の強度を高めることができる。一側受け板部４７は一側板部９の上端部と一側支持板部５３とで支持するので更に角部の強度が高い。
また、他側受け板部４９は他側支持板部５３で支持し他側板部１１の上角部にかかる加重を他側受け板部４９の面で受けるので、他側板部１１にある角部の強度を高めることができる。
本実施の形態では、一側板部９と他側板部１１との各角部の強度を高めることができる。
【００２１】
【００２２】
【００２３】
本発明は、上述した実施の形態に限らず、本発明の要旨を逸脱しない範囲で種々変形可能である。
例えば、一側中間板部２７と他側中間板部２９とはいずれを内側にして重合してもよい。
嵌合凹部１５は貫通孔に限らず、凹みであってもよい。
また、嵌合突起３７は、内面板部３５の一側板貼付け部２３側と他側板貼付け部２５側とにも設け、嵌合凹部１５を各嵌合突起３７に対応して、下板貼付け部２１と、一側板貼付け部２３と、他側板貼付け部２５とに設けるものであってもよい。
【図面の簡単な説明】
【００２４】
【図１】前提となる梱包箱の組立て工程を示す図である。
【図２】（ａ）は図１に示す梱包箱を組み立てた状態を示す斜視図であり、（ｂ）は（ａ）のＡ−Ａ位置で切断した断面図である。
【図３】（ａ）は本発明の実施の形態にかかる端板の展開図であり、（ｂ）は本発明の実施の形態にかかる梱包箱を図２（ａ）のＢ−Ｂ位置で切断すると共に上板部を除いて示す斜視図である。
【図４】（ａ）は本発明の実施の形態にかかる梱包箱を図２（ａ）のＡ−Ａ位置で切断した断面図であり、（ｂ）は本発明の実施の形態にかかる梱包箱を図２（ａ）のＣ−Ｃ線の位置で切断した断面図である。
【符号の説明】
【００２５】
１      梱包箱
３      巻板
５      端板
７      下板部
９      一側板部
１１    他側板部
１３    上板部
１５    嵌合凹部
２１    下板貼付け部
２３    一側板貼付け部
２５    他側板貼付け部
２７    一側中間板部
２９    他側中間板部
３１    外面板部
３３    端上面板部
３５    内面板部
３７    嵌合突起
３９    係合凹部
４１    被係合凹部
４３    重合中間板部
４７    一側受け板部
４９    他側受け板部
５１    一側支持板部
５３    他側支持板部
【図１】
0004681276.tif 000002
【図２】
0004681276.tif 000003
【図３】
0004681276.tif 000004
【図４】
0004681276.tif 000005